(57)【要約】ブラジャー（１）は、一対のカップ部（２０）と、一対のカップ部（２０）の表側を被覆するフロント部（２）と、フロント部（２）に接続するとともに、着用者のバスト下方で周方向に配設され、緊締力を有する部材で形成される帯状部（４）と、少なくとも４つの伸縮性を有するテープ状部材で形成され、各テープ状部材の幅方向の辺は、それぞれ、カップ部（２０）の上部脇側、上部内側、下部脇側および下部内側に接続するとともに、カップ部（２０）との接続辺と対向する辺は、フロント部（２）または帯状部（４）に接続し、テープ状部材の長さ方向の辺の中央近傍は、フロント部（２）と離反可能に形成される連結部（２１〜２４）を備える。
2017130311.tif 000002
【特許請求の範囲】
【請求項１】
バストを被覆するカップ部を有する衣類であって、  一対のカップ部と、  前記一対のカップ部の表側を被覆するフロント部と、  前記フロント部に接続するとともに、着用者のバスト下方で周方向に配設され、緊締力を有する部材で形成される帯状部と、  少なくとも４つの伸縮性を有するテープ状部材で形成され、各テープ状部材の幅方向の辺は、それぞれ、前記カップ部の上部脇側、上部内側、下部脇側および下部内側に接続するとともに、前記カップ部との接続辺と対向する辺は、前記フロント部または前記帯状部に接続し、前記テープ状部材の長さ方向の辺の中央近傍は、前記フロント部と離反可能に形成される連結部  を備えることを特徴とするカップ部を有する衣類。
【請求項２】
前記連結部の長さ方向は、前記幅方向よりも高い伸縮性を有することを特徴とする請求項１に記載のカップ部を有する衣類。
【請求項３】
前記連結部よりも肌側に配設され、前記カップ部上側の周囲に接続するとともに、前記フロント部のバスト上方位置に接続し、上下方向に伸縮する部材で形成される上方肌側部と、  前記連結部よりも肌側に配設され、前記カップ部下側の周囲に接続するとともに、前記フロント部のバスト脇側位置および前記帯状部に接続し、左右方向に伸縮する部材で形成される土台肌側部  をさらに備えることを特徴とする請求項１または２に記載のカップ部を有する衣類。
【請求項４】
前記カップ部の上部脇側から接続する第１の連結部は、バスト上方脇側で、前記フロント部に接続し、  前記カップ部の上部内側から接続する第２の連結部は、バスト上方内側で、前記フロント部に接続し、  前記カップ部の下部脇側から接続する第３の連結部は、バスト下方脇側で、前記帯状部に接続し、  前記カップ部の下部内側から接続する第４の連結部は、バスト下方内側で、前記帯状部に接続する  ことを特徴とする請求項１ないし３のいずれか１項に記載のカップ部を有する衣類。
【請求項５】
前記第２の連結部の引っ張り力は、前記第１の連結部、前記第３の連結部および前記第４の連結部の引っ張り力と比べて、弱くなるように形成される  ことを特徴とする請求項４に記載のカップ部を有する衣類。
【発明の詳細な説明】
【技術分野】
【０００１】  本発明は、バストを被覆するカップ部を有する衣類に関する。
【背景技術】
【０００２】  一般的に、バストを美しく造形する効果を有するブラジャーが普及している。高い造形性を実現するために、ワイヤーでバストを支えるワイヤー入りブラジャー、３／４カップ、１／２カップブラジャーなど、様々なブラジャーが普及している。【０００３】  また、着用者の動きに適応し、スポーツ時の着用に好適なスポーツ用ブラジャーも普及している。スポーツ用ブラジャーは、動きやすい効果のみならず、バストの揺れを抑制する。このためスポーツ用ブラジャーは、バストを押さえつける構造を有するものが多い（例えば、特許文献１参照。）。
【先行技術文献】
【特許文献】
【０００４】
【特許文献１】特開２００６−１０４６１３号公報
【発明の概要】
【発明が解決しようとする課題】
【０００５】  しかしながら一般的なスポーツ用ブラジャーは、バストの揺れを押さえる機能が高いものの、バストを押さえつけるように構成されるので、造形性が低い場合がある。一方一般的なブラジャーは、造形性が高いものの、バストの揺れに対応しづらい場合がある。【０００６】  そこで、造形性が高く、バストの揺れを抑制することのできるブラジャーの開発が、期待されている。【０００７】  従って本発明の目的は、造形性が高く、バストの揺れを抑制することのできるカップ部を有する衣類を提供することである。
【課題を解決するための手段】
【０００８】  上記課題を解決するために、本発明の特徴に係るカップ部を有する衣類は、バストを被覆する一対のカップ部と、一対のカップ部の表側を被覆するフロント部と、フロント部に接続するとともに、着用者のバスト下方で周方向に配設され、緊締力を有する部材で形成される帯状部と、連結部を備える。連結部は、少なくとも４つの伸縮性を有するテープ状部材で形成され、各テープ状部材の幅方向の辺は、それぞれ、カップ部の上部脇側、上部内側、下部脇側および下部内側に接続するとともに、カップ部との接続辺と対向する辺は、フロント部または帯状部に接続し、テープ状部材の長さ方向の辺の中央近傍は、フロント部と離反可能に形成される。
【発明の効果】
【０００９】  本発明によれば、造形性が高く、バストの揺れを抑制することのできるカップ部を有する衣類を提供することができる。
【図面の簡単な説明】
【００１０】
【図１】図１は、本発明の実施の形態に係るブラジャーを着用者が着用した状態の斜視図である。
【図２】図２は、本発明の実施の形態に係るブラジャーを着用者が着用した状態の背面斜視図である。
【図３】図３は、本発明の実施の形態に係るブラジャーの斜視図であって、図３（ａ）は、フロント部を切り取った図であって、図３（ｂ）は、切り取られたフロント部の図である。
【図４】図４は、本発明の実施の形態に係るブラジャーの内部を、上方肌側部および土台肌側部の一部を切り取って、肌側から観察した図である。
【図５】図５は、本発明の実施の形態に係るブラジャーの断面図である。
【発明を実施するための形態】
【００１１】  次に、図面を参照して、本発明の実施の形態を説明する。以下の図面の記載において、同一または類似の部分には同一または類似の符号を付している。
【００１２】  本発明の実施の形態において、伸長回復性は、試験片を定速伸長形引張試験機に取り付け、３００ｍｍ／分程度の速度で伸長回復を複数回繰り返し、所定方向に所定パーセント伸長した際の伸長力（ｃＮ）と、所定パーセント回復した際の回復力（ｃＮ）の平均により算出される。伸び率は、試験片を、定速伸長形引張試験機に取り付け、試験片を所定方向に所定加重をかけて測定されたものである。ここで試験片は、シート状部材の場合、１６０ｍｍ×２５ｍｍであり、テープ状部材の場合、試験片は１６０ｍｍ×全幅である。試験片は、上部つかみ２５ｍｍ、下部つかみ３５ｍｍおよびつかみ間隔１００ｍｍで、定速伸長形引張試験機に取り付けられる。
【００１３】  （実施の形態）  本発明の実施の形態において、バストを被覆するカップ部を有する衣類の一例であるブラジャー１を説明する。図１ないし図２に示すように、ブラジャー１は、フロント部２、背被覆部３、および帯状部４を備える。
【００１４】  フロント部２は、着用者の前側を被覆する。フロント部２は、図３に示すように、一対のカップ部２０の表側を被覆し、伸縮性を有する部材で形成される。フロント部２の肌側には、一対のカップ部２０のほか、連結部２１〜２４、上方肌側部２６および土台肌側部２７が左右対称に設けられる。
【００１５】  背被覆部３は、着用者の背側を被覆し、肩の稜線近傍において、フロント部２に接続する。背被覆部３は、肩胛骨近傍を被覆しないように、両肩近傍で分岐し、肩胛骨近傍高さ位置で一体化して背中心を通り、肩胛骨近傍高さ位置より下方で、左右の脇線に向かう方向に分岐するように配設される。背被覆部３は、例えば通気性の良いメッシュ素材で形成されても良い。
【００１６】  帯状部４は、着用者のバスト下方で周方向に配設され、緊締力を有する部材で形成される。帯状部４は、フロント部２の下端および背被覆部３の下端に、それぞれ接続する。図２に示すように、フロント部２および背被覆部３は、左右の脇中心近傍で重なるように、帯状部４にそれぞれ接続しても良い。またフロント部２および背被覆部３は、着用者の動きを阻害しないように、脇中心近傍では互いに固着しないように形成されることが好ましい。
【００１７】  帯状部４は、例えば、幅広ゴムであって、幅２センチから４センチ程度の幅を有する。帯状部４がパワーの強い部材で形成されることから、着用者の動きによって着くずれしたり、ずれたりすることなく、着用者の胴体に、安定して配設される。帯状部４は、その緊締力により、フロント部２および背被覆部３を所定位置に配設することを可能にする。帯状部４の肌側に、糸刺繍による凹凸などにより、滑り止め加工がなされても良い。
【００１８】  図２に示すように、本発明の実施の形態において帯状部４の一端に２段の雄ホック４１が設けられ、もう一方の端に２段の雄ホック４１に対応する２段×４列の雌ホック４２が設けられる。着用者は、自身の体型にあわせて適度な緊締力が得られるように、４列の雌ホックのうち、適切な列の雌ホック４２に雄ホック４１を係止する。このように、帯状部４を着脱可能に形成することにより、着用者が、容易にブラジャーを着脱することができる。
【００１９】  （フロント部）  フロント部２は、図１に示すように、カップ被覆部２ａ、土台被覆部２ｂ、脇被覆部２ｃおよび肩当接部２ｄを備える。
【００２０】  カップ被覆部２ａは、フロント部２のバスト位置に、配設される。カップ被覆部２ａは、肌側に配設された一対のカップ部２０の形状を露出することなく、一対のカップ部２０を被覆し、バストの形状になめらかにフィットする。カップ被覆部２ａの下端は、帯状部４に接続する。
【００２１】  カップ被覆部２ａは、例えば、トリコットなどの素材で形成される。カップ被覆部２ａは、着用者の体の幅にフィットしやすいように、左右方向に伸びる素材が好ましい。また、カップ被覆部２ａは、着用者のバストの形状に馴染むことのできる素材が好ましい。
【００２２】  土台被覆部２ｂは、フロント部２の両バストの脇側下方に、配設される。土台被覆部２ｂは、略三角形形状を有し、両バストの脇側下方で、カップ被覆部２ａに接続する。土台被覆部２ｂの下端は、帯状部４に接続する。土台被覆部２ｂが、カップ被覆部２ａと異なるパーツで形成されることにより、フロント部２を、バストの丸みを損なわない立体的な形状にすることができる。
【００２３】  土台被覆部２ｂは、例えば、トリコットなどの素材で形成される。土台被覆部２ｂは、着用者の体の幅にフィットしやすいように、左右方向に伸びる素材が好ましい。
【００２４】  脇被覆部２ｃは、バスト上方脇側から、カップ被覆部２ａおよび土台被覆部２ｂの脇側を経由して、左右の脇線にいたる位置に配設される。脇被覆部２ｃの上端は、肩当接部２ｄに接続する。脇被覆部２ｃの内側（着用者の正中線側）は、カップ被覆部２ａおよび土台被覆部２ｂに接続する。下端は、帯状部４に接続する。脇被覆部２ｃは、肩の稜線からの引き上げ力と帯状部４の緊締力により、着用時に上下方向に伸長して脇肉を押さえ、脇肉近傍のラインを整えることができる。
【００２５】  脇被覆部２ｃは、例えば、トリコットなどの素材で形成される。脇被覆部２ｃは、着用者の脇肉を押圧しやすいように、伸長した際に戻る力を生じ、緊締力のある素材が好ましい。
【００２６】  肩当接部２ｄは、肩の稜線をまたぐように配設される。肩当接部２ｄは、着用者の前面で脇被覆部２ｃに接続し、背面で背被覆部３に接続する。
【００２７】  肩当接部２ｄは、例えば、トリコットなどの素材で形成される。本発明の実施の形態に係るブラジャー１は、肩の稜線から、一対のカップ部２０および脇被覆部２ｃを引き上げるので、肩の稜線に負担がかかる。従って肩当接部２ｄが、なめらかに伸びる柔らかい素材で形成されることにより、肩の肌当たりを向上し、快適な着用感と、動きやすさを実現する。
【００２８】  本発明の実施の形態において、カップ被覆部２ａおよび肩当接部２ｄは、一つの部材で一体に形成される場合を説明する。本発明の実施の形態において、カップ被覆部２ａおよび肩当接部２ｄを構成する一つの部材と、土台被覆部２ｂを構成する一対の部材が接続して、フロント部２の形状を形成する。図３（ｂ）に示すように、カップ被覆部２ａに土台被覆部２ｂを構成する一対の部材が接続して形成された部材の脇側に、脇被覆部２ｃが重ねられる。ここで、脇被覆部２ｃは、裏側（肌側）に重ねられても良い。また他の実施例として、カップ被覆部２ａおよび肩当接部２ｄが、それぞれ異なる部材で形成され、カップ被覆部２ａ、土台被覆部２ｂ、脇被覆部２ｃおよび肩当接部２ｄがそれぞれ接続して、フロント部２の形状を形成しても良い。
【００２９】  （カップ部）  図３および図４を参照して、本発明の実施の形態に係るブラジャー１の内部に設けられたカップ部２０を説明する。
【００３０】  カップ部２０は、それぞれ左右のバストを立体的に被覆する一対の釣鐘形状により、バストの造形性および保形性を担保するように形成される。本発明の実施の形態においてカップ部２０は、バージスラインにワイヤーを設けず、伸縮性を有する素材で、バストの形状にあうような釣鐘形状を形成する。本発明の実施の形態において、カップ部２０は、保形性を有するウレタン素材で形成される。
【００３１】  本発明の実施の形態に係るカップ部２０は、保形性を有するウレタンのモールド成型部材からなる場合を説明するが、不織布やスポンジ等を立体的に形成したものでも良く、種々の部材を適用することができる。また、ノンワイヤータイプに限らず、バージスラインをワイヤーで支えるタイプなどの、カップ部２０の構成を問わない。また、カップ部２０の形状も問わない。
【００３２】  （連結部）  図３および図４を参照して、本発明の実施の形態に係るブラジャー１の内部に設けられたカップ部２０に接続する連結部２１〜２４を説明する。
【００３３】  図３および図４に示すように、本発明の実施の形態に係るカップ部２０に、少なくとも４つの伸縮性を有するテープ状部材で形成される連結部２１〜２４が接続される。連結部２１〜２４は、パワーネット等であって、所定方向になめらかに伸びる伸縮性の高い部材であって、緊締力を有する部材形成される。連結部２１〜２４は、バストの揺れに伸縮して追従するとともに、緊締力によりバストを引き寄せ、バストの揺れを抑制することを可能とする。
【００３４】  各連結部２１〜２４において、テープ状部材の幅方向の一辺は、それぞれカップ部２０の上部脇側、上部内側、下部脇側および下部内側に接続する。カップ部２０との接続辺と対向する辺は、フロント部２または帯状部４に接続する。テープ状部材の長さ方向の辺の中央近傍は、フロント部２と離反可能に形成される。ここで、連結部２１〜２４の長さ方向は、幅方向よりも高い伸縮性を有する。
【００３５】  連結部２１〜２４の幅方向の対向する二辺の近傍が、カップ部２０と、フロント部２または帯状部４にそれぞれ接続し、長さ方向の二辺の中央近傍はいずれの部材にも接続しない。ここで、長さ方向の辺の両端近傍（幅方向の対向する二辺近傍）は、フロント部２やカップ部２０との接続のための縫い代などとして、フロント部２に接続しても良い。一方、長さ方向の辺の中央近傍（連結部２１〜２４の長さ方向の二辺のうち、幅方向の対向する二辺から離れた部分）が、いずれの部材にも接続することなく、いずれの部材からも離隔可能に形成される。従って連結部２１〜２４は、他の部材からの影響を受けることなく、しないので、連結部２１〜２４の幅方向の対向する二辺間の距離に応じて、それぞれ独立して伸縮可能に形成される。これにより、連結部２１〜２４は、それぞれ、着用者の動きやその動きに伴うバストの揺れに追従して独立して伸縮するので、連結部２１〜２４は、バストの動きを吸収して、バストを体の中心方向に引き寄せ、バストの揺れを防止することができる。さらに、連結部２１〜２４が、バストの動きをそれぞれ吸収するので、カップ部２０をバストに密着させる状態を維持し、カップ部２０のずれを防止することができる。また、連結部２１〜２４のそれぞれが独立して緊締力を発揮することにより、バストの揺れを抑制する。さらに、連結部２１〜２４がカップ部２０の縁から接続し、連結部２１〜２４がカップ部２０の押さえつけることがない。従ってカップ部２０の保形性を損なうことなく、カップ部２０の保形性を発揮することができる。
【００３６】  連結部２１〜２４を、それぞれ、第１の連結部２１、第２の連結部２２、第３の連結部２３および第４の連結部２４と称し、下記に詳述する。
【００３７】  第１の連結部２１は、カップ部２０の上部脇側に接続し、バスト上方脇側で、フロント部２に接続する。本発明の実施の形態において第１の連結部２１は、フロント部２のカップ被覆部２ａと肩当接部２ｄの接続部に、接続する。これにより第１の連結部２１は、カップ被覆部２ａと肩当接部２ｄの接続部を支点に、カップ部２０の動きに追従して伸縮する。第１の連結部２１は、肩の稜線まで延伸して配設されても良い。
【００３８】  第２の連結部２２は、カップ部２０の上部内側（着用者の正中線側）に接続し、バスト上方内側で、フロント部２に接続する。本発明の実施の形態において第２の連結部２２は、フロント部２のカップ被覆部２ａの正中線寄りの上端（デコルテ近傍）に接続する。第２の連結部２２とカップ被覆部２ａとの接続部は、左右の肩当接部２ｄによる引き上げ力により、左右方向に張った状態で配設される。これにより第２の連結部２２は、カップ被覆部２ａとの接続部を支点に、カップ部２０の動きに追従して伸縮する。
【００３９】  第３の連結部２３は、カップ部２０の下部脇側に接続し、バスト下方脇側で、帯状部４およびフロント部２に接続する。帯状部４は、上述するように強い緊締力を有し、着用者に安定して配設されるので、本発明の実施の形態において第３の連結部２３は、帯状部４との接続部を支点に、カップ部２０の動きに追従して伸縮する。
【００４０】  第４の連結部２４は、カップ部２０の下部内側（着用者の正中線側）に接続し、バスト下方内側で、帯状部４およびフロント部２に接続する。本発明の実施の形態において第４の連結部２４は、第３の連結部２３と同様に、帯状部４との接続部を支点に、カップ部２０の動きに追従して伸縮する。
【００４１】  本発明の実施の形態において第１の連結部２１および第２の連結部２２は、略Ｖ字形状に配設され、第３の連結部２３および第４の連結部２４は、略逆Ｖ字形状に配設される。従ってカップ部２０は、各連結部２１〜２４から、上下方向および左右方向のパワーを受ける。連結部２１〜２４は、それぞれ所定方向に独立して伸縮するので、カップ部２０の任意方向への動きを吸収し、バストの揺れおよびカップ部２０のずれを防止する。第１の連結部２１、第２の連結部２２、第３の連結部２３および第４の連結部２４のそれぞれは、緊締力により、カップ部２０をバランス良く引き寄せ、カップ部２０の揺れを抑制することが可能になる。
【００４２】  連結部２１〜２４は、着用時に伸長して、着用者にフィットするように配設される。ここで、図３に、第１の連結部２１がカップ部２０に接続する点Ｐ１と、カップ被覆部２ａに接続する点Ｐ１’を示す。平置き時の点Ｐ１と点Ｐ１’の長さは、着用時の点Ｐ１と点Ｐ１’の長さよりも短い。これにより、着用時に連結部２１〜２４が着用者にフィットし、さらに、カップ部２０が動いた際に、連結部２１〜２４がそれぞれ伸縮して、カップ部２０の動きに追従するとともに、緊締力を発揮することが可能になる。
【００４３】  また平置き時の連結部２１〜２４の各距離は、連結部２１〜２４がそれぞれ接続する位置に対応するフロント部２における距離よりも短く、例えば、６０〜９８％程度の距離になるように形成される。連結部２１〜２４の各距離は、連結部２１〜２４の素材や伸長力により適宜調整されてもよい。
【００４４】  具体的には、第１の連結部２１の点Ｐ１と点Ｐ１’の平置き時の長さは、フロント部２における点Ｐ１と点Ｐ１’の平置き時の長さよりも、短くなるように形成される。他の連結部も同様である。これにより、カップ部２０および連結部２１〜２４は、フロント部２に対して浮いた状態で形成されることが可能となる。また連結部２１〜２４は、フロント部２よりも伸縮しやすいので、フロント部２の伸縮と独立して伸縮することが可能となり、バストの動きに敏感に追従することが可能になる。
【００４５】  ここで、第２の連結部２２の引っ張り力は、第１の連結部２１、第３の連結部２３および第４の連結部２４の引っ張り力と比べて、弱くなるように形成されることが好ましい。第１の連結部２１、第３の連結部２３および第４の連結部２４は、それぞれ、肩の稜線や帯状部４の安定した位置に接続して、動きにくい強い支点を得るので、強い引っ張り力にも対応することができる。これに対し第２の連結部２２は、カップ被覆部２ａの上方内側の端部に接続するところ、この接続部は、左右の肩当接部２ｄによる引き上げ力により、左右方向に張った状態になっており、動きやすく、他の連結部と比べて安定性が低い。そこで、第２の連結部２２の引っ張り力を弱く形成することにより、第２の連結部２２とカップ被覆部２ａとの接続部が第２の連結部２２に引っ張られ、着用者にフィットしづらい状態を回避することができる。
【００４６】  具体的には、平置き時の第１の連結部２１、第３の連結部２３および第４の連結部２４の各距離は、各連結部がそれぞれ接続する位置に対応するフロント部２における距離に対して、例えば、６０〜９５％程度の距離になるように形成される。一方、平置き時の第２の連結部２２の距離は、第２の連結部２２接続する位置に対応するフロント部２における距離に対して、例えば、８０〜９８％程度の距離になるように形成される。
【００４７】  連結部２１〜２４の素材は、例えば長さ方向の伸長回復性が１００ｃＮから１８０ｃＮ程度の素材が好まれる。伸長回復性は、定速伸長形引張試験機に取り付けられた試験片の伸長回復を複数回繰り返し、３０％伸長した際の伸長力（ｃＮ）と、３０％回復した際の回復力（ｃＮ）の平均により算出される。
【００４８】  連結部２１〜２４の素材は、例えば、長さ方向の伸び率が、１００％から１６０％程度の素材が好まれる。この伸び率は、定速伸長形引張試験機に取り付けられた試験片を、長さ方向に加重１４．７Ｎをかけて測定されたものである。
【００４９】  なお、本発明の実施の形態に係る連結部２１〜２４は、同じ部材を用いて、長さを調節することにより、所望の伸長力を実現する場合を説明したが、これに限られない。連結部２１〜２４について、それぞれ伸長力の異なる部材を用いても良い。例えば、第２の連結部２２の部材を、他の部材と比べて伸長回復性の低い部材を用いても良い。
【００５０】  （上方肌側部および土台肌側部）  図４に示すように、ブラジャー１の肌側には、上方肌側部２６および土台肌側部２７が配設される。
【００５１】  上方肌側部２６は、連結部２１〜２４よりも肌側に配設される。上方肌側部２６は、カップ部２０上側の周囲に接続するとともに、フロント部２のバスト上方位置に接続する。上方肌側部２６は、上下方向に伸縮するシート状部材で形成される。
【００５２】  本発明の実施の形態において上方肌側部２６は、カップ部２０の上縁にわたって接続するとともに、バスト上方でフロント部２、より具体的には脇被覆部２ｃの上端に、接続する。上方肌側部２６は、左右方向よりも、上下方向によく伸びるように配設される。これにより上方肌側部２６は、肩の稜線からの引き上げ力により、カップ部２０をなめらかに上方に持ち上げ、カップ部２０の上下方向の動きに追従することを可能にする。連結部２１〜２４と上方肌側部２６とは、異なる方向にパワーがかかるように形成されるので、上方肌側部２６は、連結部２１〜２４の作用を阻害することなく、カップ部２０を上方に持ち上げることを可能とする。
【００５３】  なお、上方肌側部２６は、肩当接部２ｄとカップ被覆部２ａとの接続部を経由して、肩当接部２ｄと背被覆部３との接続部まで、延伸して配設されても良い。
【００５４】  土台肌側部２７は、連結部２１〜２４よりも肌側に配設される。土台肌側部２７は、カップ部２０下側の周囲に接続するとともに、フロント部２のバスト脇側位置および帯状部４に接続する。土台肌側部２７は、左右方向に伸縮するシート状部材で形成される。
【００５５】  本発明の実施の形態において土台肌側部２７は、カップ部２０の下縁にわたって接続するとともに、フロント部２の脇被覆部２ｃの脇端に接続し、さらに、帯状部４の上端に接続する。土台肌側部２７は、上下方向よりも、左右方向によく伸びるように配設される。これにより土台肌側部２７は、帯状部４の周方向の緊締力に伴って、周方向（左右方向）に伸長し、カップ部２０を着用者にフィットさせることを可能とする。連結部２１〜２４と土台肌側部２７とは、異なる方向にパワーがかかるように形成されるので、土台肌側部２７は、連結部２１〜２４の作用を阻害することなく、カップ部２０を着用者にフィットさせることを可能とする。
【００５６】  上方肌側部２６は、カップ部２０に引き上げ力を与えられる程度のパワーを発揮する素材で形成されることが好ましい。また土台肌側部２７は、カップ部２０を着用者にフィットさせる程度のパワーを発揮する素材で形成されることが好ましい。また、上方肌側部２６および土台肌側部２７は、肌に直接当たるので、肌触りの良さを有することが好ましい。またブラジャー１が運動時に用いられることを考慮して、上方肌側部２６および土台肌側部２７は、汗の吸収性や速乾性などの機能を有していることが好ましい。
【００５７】  一つの素材で、これらの機能を実現できない場合、上方肌側部２６および土台肌側部２７は複数の素材で形成されても良い。具体的には、図５に示すように、上方肌側部２６は、肌に当接する上方肌側当接部２６ａと、上方肌側当接部２６ａよりもフロント部２側に配設される上方補強部２６ｂとを備える。土台肌側部２７も同様に、肌に当接する土台肌側当接部２７ａと、土台肌側当接部２７ａよりもフロント部２側に配設される土台補強部２７ｂとを備える。
【００５８】  肌に直接当たる上方肌側当接部２６ａおよび土台肌側当接部２７ａは、肌触りの良さ、汗の吸収性や速乾性などの機能を実現する。
【００５９】  上方補強部２６ｂおよび土台補強部２７ｂは、例えば、パワーネットなどのパワーを有する素材で形成される。上方補強部２６ｂは、カップ部２０を引き上げるパワーを発揮し、土台補強部２７ｂは、カップ部２０を着用者にフィットさせるパワーを発揮する。
【００６０】  上方補強部２６ｂおよび土台補強部２７ｂの素材は、例えば所定方向の伸長回復性が１００ｃＮから１８０ｃＮ程度の素材が好まれる。伸長回復性は、定速伸長形引張試験機に取り付けられた試験片の伸長回復を複数回繰り返し、３０％伸長した際の伸長力（ｃＮ）と、３０％回復した際の回復力（ｃＮ）の平均により算出される。
【００６１】  また上方補強部２６ｂおよび土台補強部２７ｂの素材は、所定方向の伸び率が、１００％から１６０％程度の素材が好まれる。この伸び率は、定速伸長形引張試験機に取り付けられた試験片を、所定方向に加重１４．７Ｎをかけて測定されたものである。
【００６２】  上記伸長回復性および伸び率の「所定方向」は、上方補強部２６ｂおよび土台補強部２７ｂのよく伸びる方向に対応する。具体的には、上方補強部２６ｂの伸長回復性および伸び率は、上下方向の数値であって、土台補強部２７ｂの伸長回復性および伸び率は、左右方向の数値である。
【００６３】  なお、上方肌側当接部２６ａおよび土台肌側当接部２７ａは、上方補強部２６ｂおよび土台補強部２７ｂのパワーを阻害しないように、上方補強部２６ｂおよび土台補強部２７ｂよりも伸び率が高く伸長回復性の低い部材が好ましい。
【００６４】  図４および図５を参照して、図４のＡ−Ａ’の断面を説明する。図５において左側がブラジャー１の肌側（着用者側）に対応し、右側がブラジャー１の表側に対応する。
【００６５】  ブラジャー１の表側は、フロント部２（肩当接部２ｄ、脇被覆部２ｃおよびカップ被覆部２ａ）と、帯状部４が連結される。脇被覆部２ｃは、一体形成される肩当接部およびカップ被覆部２ａの表側に配設される。カップ被覆部２ａの肌側に、カップ部２０が設けられる。
【００６６】  カップ部２０の上縁は、上縁全体にわたってシート状部材の上方肌側部２６が配設され、上方肌側部２６を介してフロント部２に接続する。カップ部２０の下縁は、下縁全体にわたってシート状部材の土台肌側部２７が配設され、土台肌側部２７を介して帯状部４に接続する。上方肌側部２６および土台肌側部２７は、着用時に、カップ部２０を着用者に安定して配設されるように形成される。具体的には、上方肌側部２６および土台肌側部２７は、緊締力を有し、上方肌側部２６は、上下方向によく伸縮し、土台肌側部２７は、左右方向によく伸縮する。従って、上方肌側部２６は、着用時において、肩の稜線を支点として、カップ部２０を引き上げるとともに、カップ部２０を着用者の体の中心方向に引き寄せ、カップ部２０をバストに沿わせることを可能とする。土台肌側部２７は、着用時において、帯状部４の緊締力に伴って左右方向に伸長して着用者の体にフィットし、カップ部２０の下端をバストのバージスラインに安定して配設することを可能とする。
【００６７】  また、カップ部２０の上縁の一部は、テープ状部材の第１の連結部２１を介してフロント部２に連結するとともに、カップ部２０の下縁の一部は、テープ状部材の第４の連結部２４を介して帯状部４に連結する。また第１の連結部２１および第４の連結部２４は、図５の上下方向に伸縮性の高い部材で形成される。従って、土台肌側部２７および上方肌側部２６によって着用者に安定して配設されたカップ部２０が、着用者の動きに追従して揺れても、第１の連結部２１および第４の連結部２４の高い伸縮性により、カップ部２０の揺れを吸収し、カップ部２０のずれを防止することができる。
【００６８】  このように本発明の実施の形態に係るブラジャー１は、造形性が高く、バストの揺れを抑制することが可能となる。
【００６９】  （その他の実施の形態）  上記のように、本発明の実施の形態とその変形例によって記載したが、この開示の一部をなす論述および図面はこの発明を限定するものであると理解すべきではない。この開示から当業者には様々な代替実施の形態、実施例および運用技術が明らかとなる。
【００７０】  例えば、本発明の実施の形態において、カップ部を有する衣類は、ブラジャーの場合を説明したが、カップ部を有するキャミソール等の下着であっても良い。
【００７１】  本発明はここでは記載していない様々な実施の形態等を含むことは勿論である。従って、本発明の技術的範囲は上記の説明から妥当な請求の範囲に係る発明特定事項によってのみ定められるものである。
【符号の説明】
【００７２】  １  ブラジャー  ２  フロント部  ２ａ  カップ被覆部  ２ｂ  土台被覆部  ２ｃ  脇被覆部  ２ｄ  肩当接部  ３  背被覆部  ４  帯状部  ２０  カップ部  ２１  第１の連結部  ２２  第２の連結部  ２３  第３の連結部  ２４  第４の連結部  ２６  上方肌側部  ２６ａ  上方肌側当接部  ２６ｂ  上方補強部  ２７  土台肌側部  ２７ａ  土台肌側当接部  ２７ｂ  土台補強部  ４１  雄ホック  ４２  雌ホック
【図１】
2017130311.tif 000003
【図２】
2017130311.tif 000004
【図３】
2017130311.tif 000005
【図４】
2017130311.tif 000006
【図５】
2017130311.tif 000007
【手続補正書】
【提出日】平成30年7月24日(2018.7.24)
【手続補正１】
【補正対象書類名】明細書
【補正対象項目名】００３５
【補正方法】変更
【補正の内容】
【００３５】
連結部２１〜２４の幅方向の対向する二辺の近傍が、カップ部２０と、フロント部２または帯状部４にそれぞれ接続し、長さ方向の二辺の中央近傍はいずれの部材にも接続しない。ここで、長さ方向の辺の両端近傍（幅方向の対向する二辺近傍）は、フロント部２やカップ部２０との接続のための縫い代などとして、フロント部２に接続しても良い。一方、長さ方向の辺の中央近傍（連結部２１〜２４の長さ方向の二辺のうち、幅方向の対向する二辺から離れた部分）が、いずれの部材にも接続することなく、いずれの部材からも離反可能に形成される。従って連結部２１〜２４は、他の部材からの影響を受けることなく、連結部２１〜２４の幅方向の対向する二辺間の距離に応じて、それぞれ独立して伸縮可能に形成される。これにより、連結部２１〜２４は、それぞれ、着用者の動きやその動きに伴うバストの揺れに追従して独立して伸縮するので、連結部２１〜２４は、バストの動きを吸収して、バストを体の中心方向に引き寄せ、バストの揺れを防止することができる。さらに、連結部２１〜２４が、バストの動きをそれぞれ吸収するので、カップ部２０をバストに密着させる状態を維持し、カップ部２０のずれを防止することができる。また、連結部２１〜２４のそれぞれが独立して緊締力を発揮することにより、バストの揺れを抑制する。さらに、連結部２１〜２４がカップ部２０の縁から接続し、連結部２１〜２４がカップ部２０の押さえつけることがない。従ってカップ部２０の保形性を損なうことなく、カップ部２０の保形性を発揮することができる。
【手続補正２】
【補正対象書類名】明細書
【補正対象項目名】００４２
【補正方法】変更
【補正の内容】
【００４２】
連結部２１〜２４は、着用時に伸長して、着用者にフィットするように配設される。ここで点Ｐ１は、第１の連結部２１がカップ部２０に接続する点で、点Ｐ１’は、カップ被覆部２ａに接続する点Ｐである。平置き時の点Ｐ１と点Ｐ１’の長さは、着用時の点Ｐ１と点Ｐ１’の長さよりも短い。これにより、着用時に連結部２１〜２４が着用者にフィットし、さらに、カップ部２０が動いた際に、連結部２１〜２４がそれぞれ伸縮して、カップ部２０の動きに追従するとともに、緊締力を発揮することが可能になる。
【手続補正３】
【補正対象書類名】明細書
【補正対象項目名】００６５
【補正方法】変更
【補正の内容】
【００６５】
ブラジャー１の表側は、フロント部２（肩当接部２ｄ、脇被覆部２ｃおよびカップ被覆部２ａ）と、帯状部４が連結される。脇被覆部２ｃは、一体形成される肩当接部２ｄおよびカップ被覆部２ａの表側に配設される。カップ被覆部２ａの肌側に、カップ部２０が設けられる。
【国際調査報告】
2017130311.tif 000008
2017130311.tif 000009